(57)【特許請求の範囲】
【請求項１】
コネクタハウジングの端子挿入面部に、電線の端部に圧着した端子が挿入される複数の端子挿入孔を、前記端子挿入面部の横幅方向に並ぶよう形成したコネクタであって、
前記端子挿入孔に対応して前記端子挿入面部の横幅方向へ並ぶよう設けた複数の案内部を有し、
前記各案内部は、前記端子挿入孔に前記端子が挿入された前記電線を、前記端子挿入面部から一定距離に離れるまで垂直方向に案内するよう構成されており、
前記複数の案内部を、前記電線の横出し方向側に位置するものほど、前記端子挿入面部からの距離が小さくなるよう構成したことを特徴とするコネクタ。
【請求項２】
請求項１に記載のコネクタと、コネクタハウジングの端子挿入孔に端子が挿入された電線とを備えたことを特徴とするワイヤーハーネス。
【発明の詳細な説明】
【技術分野】
【０００１】
本発明は、コネクタおよびワイヤーハーネスに関する。
【背景技術】
【０００２】
自動車に配索されるワイヤーハーネスは、電線の端部に圧着したコネクタを含んで構成される。従来、図８に示すように、コネクタハウジング１の端子挿入面部２に、電線３の端部に圧着した端子が挿入される複数の端子収容室４を、端子挿入面部２の横幅方向に並ぶよう備えたものが知られている（例えば、特許文献１参照）。
【０００３】
また、上述した構成に加えて、電線３の端部に被着されゴム製の防水栓を備え、電線をコネクタハウジング１の端子収容室４に挿入したときに、防水栓が端子収容室の内周部に密着して、端子収容室４の内部を水密に保つようにしたものがある。
【０００４】
端子収容室４に端子を挿入した電線３は、コネクタハウジング１の端子挿入面部２の横幅方向一端部に備えられたコ字形状を有する電線配線方向規制用のガイド枠５と端子挿入面部２とで囲まれる空間に挿通され、端子挿入面部２の横幅方向の一方側（右方側）へ横出し状態で案内されるようになっている。
【０００５】
電線３の全長は、端子が端子挿入面部２の複数の端子収容室４のうち、左側に挿入されるものほど、右側の端子収容室４に挿入されるものに比べて長くなっている。
【先行技術文献】
【特許文献】
【０００６】
【特許文献１】特開２０１０−２８２７６４号公報
【発明の概要】
【発明が解決しようとする課題】
【０００７】
しかしながら、上述したコネクタハウジング１および電線３を自動車等に実装する際に、コネクタハウジング１を電線３の延長方向（右側方）と逆の向き（左方側）に引っ張ると、複数の電線３のうち、最も余長が少ない電線３に張力が作用する。この張力は、当該電線３の端子圧着部に対し、端子の軸線に関して斜め方向に作用することになる。このため、電線３に断線が生じる、あるいは防水栓が変形して端子収容室４の内部を水密に保てなくなることが懸念される。
【０００８】
そこで、本発明は、上述した課題を解決するためになされたものであり、横出し状態の電線の端子圧着部に端子の軸線に関して斜め方向に張力が掛からないコネクタおよびワイヤーハーネスを提供することを目的としている。
【課題を解決するための手段】
【０００９】
本発明に係るコネクタは、上記目的を達成するため、コネクタハウジングの端子挿入面部に、電線の端部に圧着した端子が挿入される複数の端子挿入孔を、前記端子挿入面部の横幅方向に並ぶよう形成したコネクタであって、前記端子挿入孔に対応して前記端子挿入面部の横幅方向へ並ぶよう設けた複数の案内部を有し、前記各案内部は、前記端子挿入孔に前記端子が挿入された前記電線を、前記端子挿入面部から一定距離に離れるまで垂直方向に案内するよう構成されている。
【００１０】
この構成により、本発明に係るコネクタは、各端子挿入孔から延びる電線を、各案内部で端子挿入面部から一定距離だけ垂直方向に案内し、それから各電線に対応する案内部の電線横出し側部分にて横出しする。このため、コネクタは、コネクタハウジングを電線の横出し方向とは逆向きに引っ張ると、最も余長が少ない電線の屈曲部分が案内部に当接し、当該電線に作用する張力は、端子挿入面部に対して垂直方向に作用する。このため、本発明に係るコネクタは、横出し状態の電線の端子圧着部に端子の軸線に関して斜め方向に張力が掛からなくなり、電線の断線を防ぐことができる。
【００１１】
上述した構成のコネクタにおいて、前記複数の案内部を、前記電線の横出し方向側に位置するものほど、前記端子挿入面部からの距離が小さくなるようにするのが好ましい。
【００１２】
この構成により、本発明に係るコネクタは、各案内部を通って横出しされる電線を、無理なく平行に重ねて横出しすることができる。
【００１３】
本発明に係るワイヤーハーネスは、上記目的を達成するため、上述したコネクタと、コネクタハウジングの端子挿入孔に端子が挿入された電線とを備えた構成としている。
【００１４】
この構成により、本発明に係るワイヤーハーネスは、コネクタハウジングを電線の延長方向とは逆の向きに引っ張ると、最も余長が少ない電線の屈曲部分が案内部に当接して、案内部に応力が作用する。このため、ワイヤーハーネスは、横出し状態の電線の端子圧着部に端子の軸線に関して斜め方向に張力が掛からなくなり、電線の断線を防ぐことができる。
【発明の効果】
【００１５】
本発明によれば、横出し状態の電線の端子圧着部に端子の軸線に関して斜め方向に張力が掛からないコネクタおよびワイヤーハーネスを提供することができる。
【図面の簡単な説明】
【００１６】
【図１】本実施の形態に係るコネクタおよびワイヤーハーネスの構成図であって、（ａ）はコネクタの概略斜視図、（ｂ）はワイヤーハーネスの概略平面図である。
【図２】図１（ｂ）に示す電線の端部の概略側面図である。
【図３】本発明の実施の形態に係るコネクタにおけるコネクタハウジングの概略正面図である。
【図４】本発明の実施の形態に係るコネクタにおける電線支持部材の概略正面図である。
【図５】本発明の実施の形態に係るコネクタにおけるコネクタハウジングに電線支持部材を装着する状態を示す概略斜視図である。
【図６】本発明の実施の形態に係るコネクタの概略正面図である。
【図７】本発明の実施の形態に係るコネクタにおけるコネクタハウジングに電線支持部材を装着する状態を示す概略平面図である。
【図８】従来のコネクタハウジングの一例を示す概略斜視図である。
【発明を実施するための形態】
【００１７】
以下、本発明の実施の形態に係るコネクタおよびワイヤーハーネスについて、図面を参照して説明する。
【００１８】
図１（ａ）、図１（ｂ）に示すように、本実施の形態に係るコネクタＣは、コネクタハウジング１０と、電線案内部材２０とを備え、自動車等に配索されるワイヤーハーネスＷを構成するものである。ただし、本発明に係るコネクタおよびワイヤーハーネスの用途は、自動車に限定されるものではない。
【００１９】
図１（ａ）および図２に示すように、コネクタハウジング１０の端子挿入面部１１には、電線４０の端部に圧着した端子４１を挿入する複数の端子挿入孔１２が、端子挿入面部１１の横幅方向に並ぶよう形成されている。図２に示すように、電線４０の端子４１に隣接する部分から端子４１の一端部にかけて、ゴム製の防水栓４２が備えられている。防水栓４２は、端子４１が端子挿入孔１２に挿入されたときに、端子挿入孔１２の内周部に密着し、端子挿入孔１２の内部に水密に保つよう構成されている。
【００２０】
図１（ａ）、図１（ｂ）に示すように、コネクタハウジング１０は、直方体形状を有し、図３に示すように、直方体の一端面部である端子挿入面部１１に合計６個の端子挿入孔１２が形成され、また、端子挿入面部１１の横幅方向一端部および他端部に、リブ挿入口１３が形成されている。端子挿入孔１２は、端子挿入面部１１の横幅方向（左右方向）に３つ並び、かつ端子挿入面部１１の縦方向（上下方向）に２段並ぶようになっている。
【００２１】
図１（ａ）、図１（ｂ）、図４に示すように、電線案内部材２０は、支持部２４と、案内部２５，２６，２７と、支持リブ２８とを備えている。
【００２２】
図４、図５に示すように、支持部２４は、コネクタハウジング１０の端子挿入面部１１に当接される板状部材であり、左右方向に並ぶ３つの開口部２１，２２，２３を有するとともに、固定リブ２９を有し、固定リブ２９が上述した端子挿入面部１１のリブ挿入口１３に係合することによりコネクタハウジング１０に固定されるようになっている。
【００２３】
図６に示すように、支持部２４に形成された３つの開口部２１，２２，２３は、それぞれ端子挿入面部１１の横幅方向左側位置の端子挿入孔１２、横幅方向中央位置の端子挿入孔１２、ならびに横幅方向右側位置の端子挿入孔１２を露出させるようになっている。
【００２４】
図１（ａ）、図１（ｂ）、図５、図６に示すように、案内部２５，２６，２７は、端子挿入孔１２に対応して端子挿入面部１１の横幅方向へ並ぶよう設けられている。また、案内部２５，２６，２７は、端子挿入孔１２に端子４１が挿入される電線４０を、端子挿入面部１１の横幅方向の一方側へ屈曲させて案内するよう構成されている。
【００２５】
さらに、図７に示すように、案内部２５，２６，２７は、端子挿入面部１１の横幅方向の一方側に位置するものほど、端子挿入面部１１からの距離Ｓ１，Ｓ２，Ｓ３が小さくなるよう構成されている。
【００２６】
案内部２５は、上下一対の梁部３０ａおよび左右一対の柱部３０ｂによって構成され、開口部２１に向き合う矩形枠状のフレーム３０と、フレーム３０を支持部２４に支持する一対の壁部３１とを有し、上部および下部が開口した状態になっている。
【００２７】
壁部３１は、フレーム３０の柱部３０ｂおよび支持部２４に連なり、フレーム３０を支持部２４に固定している。フレーム３０は、支持部２４に対して距離Ｓ１を隔てている。
【００２８】
また、支持部２４に向かって右側に位置する柱部３０ｂは、開口部２１を介して端子挿入孔１２に端子４１が挿入された電線４０を、端子挿入面部１１の横幅方向右方側へ屈曲させて横出し状態で案内するようになっている。
【００２９】
案内部２６は、上下一対の梁部３２ａおよび支持部２４に向かって右側に位置する柱部３２ｂによって構成され、開口部２２に向き合うコ字状のフレーム３２と、フレーム３２を支持部２４に支持する壁部３３とを有し、上部および下部が開口した状態になっている。
【００３０】
壁部３３は、フレーム３２の柱部３２ｂおよび支持部２４に連なり、フレーム３２を支持部２４に固定している。梁部３２ａの左側端部は、案内部２５において右側に位置している壁部３１に連なっている。フレーム３２は、支持部２４に対して距離Ｓ２を隔てている。この距離Ｓ２は、支持部２４に対するフレーム３０の距離Ｓ１よりも小さくなっている。
【００３１】
また、柱部３２ｂは、開口部２２を介して端子挿入孔１２に端子４１が挿入された電線４０を、端子挿入面部１１の横幅方向右方側へ屈曲させて横出し状態で案内するようになっている。
【００３２】
案内部２７は、上下一対の梁部３４ａおよび支持部２４に向かって右側に位置する柱部３４ｂによって構成され、開口部２３に向き合うコ字状のフレーム３４と、フレーム３４を支持部２４に支持する壁部３５とを有し、上部および下部が開口した状態になっている。
【００３３】
壁部３５は、フレーム３４の柱部３４ｂおよび支持部２４に連なり、フレーム３４を支持部２４に固定している。梁部３４ａの左側端部は、案内部２６の壁部３３に連なっている。フレーム３４は、支持部２４に対して距離Ｓ３を隔てている。この距離Ｓ３は、支持部２４に対するフレーム３２の距離Ｓ２よりも小さくなっている。よって、案内部２７は、上部および下部が開口した状態になっている。
【００３４】
また、柱部３２ｂは、開口部２３を介して端子挿入孔１２に端子４１が挿入された電線４０を、端子挿入面部１１の横幅方向右方側へ屈曲させて横出し状態で案内するようになっている。
【００３５】
図５、図６に示すように、支持リブ２８は、フレーム３４の柱部３４ｂと同一平面上となるように連なり、端子挿入面部１１の横幅方向右方側へ突出している。図１（ｂ）に示すように、支持リブ２８には、複数の電線４０がバンド４３により結束されるようになっている。
【００３６】
本実施の形態に係るワイヤーハーネスＷを製作するときには、図１（ａ）、図５、図６、図７に示すように、端子挿入面部１１と支持部２４とが当接するようリブ挿入口１３に固定リブ２９を係合させて、コネクタハウジング１０に電線案内部材２０を取り付ける。これにより、コネクタハウジング１０と電線案内部材２０とでコネクタＣを構成する。
【００３７】
初めに、案内部２７のフレーム３４および支持部２４の開口部２３に、２本の電線４０の端部を挿通し、端子挿入面部１１の横幅方向右側部上下の端子挿入孔１２に、電線４０の端子４１を挿入する。これらの電線４０を、フレーム３４の柱部３４ｂの外面側で屈曲させて端子挿入面部１１の横幅方向右方側へ案内する。
【００３８】
次に、案内部２６のフレーム３２および支持部２４の開口部２２に、２本の電線４０の端部を挿通し、端子挿入面部１１の横幅方向中央部上下の端子挿入孔１２に、電線４０の端子４１を挿入する。これらの電線４０を、フレーム３２の柱部３２ｂの外面側で屈曲させて端子挿入面部１１の横幅方向右方側へ案内する。これにより、案内部２６を通して横出しされる２本の電線４０は、案内部２７を通して横出しされる２本の電線４０に重なる。
【００３９】
続いて、案内部２５のフレーム３０および支持部２４の開口部２１に、２本の電線４０の端部を挿通し、端子挿入面部１１の横幅方向左側部上下の端子挿入孔１２に、電線４０の端子４１を挿入する。これらの電線４０を、フレーム３０の右側の柱部３０ｂの外面側で屈曲させて端子挿入面部１１の横幅方向右方側へ案内する。これにより、案内部２５を通して横出しされる２本の電線４０は、案内部２６を通して横出しされる２本の電線４０に重なる。
【００４０】
さらに、フレーム３０，３２，３４の柱部３０ｂ，３２ｂ，３４ｂにより端子挿入面部１１の横幅方向右方側へ案内される合計６本の電線４０を、バンド４３を用いて支持リブ２８に結束して、ワイヤーハーネスＷを構成する。
【００４１】
本実施の形態に係るコネクタＣおよびワイヤーハーネスＷは、コネクタハウジング１０を左方側に引っ張ると、最も余長が少ない電線４０の屈曲部分が、その電線４０に対応するフレーム３０，３２，３４のいずれかの柱部３０ｂ，３２ｂ，３４ｂに当接する。
【００４２】
電線４０の屈曲部分がフレーム３０の柱部３０ｂに当接した場合は、案内部２５に応力が作用する。電線４０の屈曲部分がフレーム３２の柱部３２ｂに当接した場合は、案内部２６に応力が作用する。電線４０の屈曲部分がフレーム３４の柱部３４ｂに当接した場合には、案内部２５に応力が作用することになる。このため、横出し状態の電線４０の端子圧着部に、端子４１に対して斜め方向に張力が掛からず、防水栓４２が変形しない。
【００４３】
よって、本実施の形態に係るコネクタＣおよびワイヤーハーネスＷは、電線４０の端子圧着部付近での断線を防ぐことができ、また、端子挿入孔１２の内部を水密に保つことができる。
【００４４】
本実施の形態に係るコネクタＣおよびワイヤーハーネスＷは、案内部２５，２６，２７を、電線４０の横出し方向側に位置するものほど、端子挿入面部１１からの距離が小さくなるようにしている。このため、案内部２５，２６，２７から横出しされる複数の電線４０が無理なく重なるとともに、これら電線４０の余長のばらつきを抑えることができる。
【００４５】
本実施の形態に係るコネクタＣおよびワイヤーハーネスＷは、案内部２５，２６，２７の上部および下部が開口した状態になっている。このため、フレーム３０，３２，３４に挿通した電線４０を目視しながら、端子４１を端子挿入面部１１の端子挿入孔１２に容易に挿入することができる。
【００４６】
上述した実施の形態では、コネクタハウジング１０に電線案内部材２０を、支持リブ２８が端子挿入面部１１の横幅方向右方側へ突出するよう取り付けている。これに代えて、電線案内部材２０を上下に反転させ、コネクタハウジング１０に電線案内部材２０を、支持リブ２８が端子挿入面部１１の横幅方向左方側へ突出するよう取り付けた構成を採ることもできる。
【００４７】
以上のように、本発明に係るコネクタおよびワイヤーハーネスは、コネクタハウジングを電線の延長方向とは逆向きに引っ張ると、最も余長が少ない電線の屈曲部分が案内部に当接して、案内部に応力が作用する。このため、本発明に係るコネクタおよびワイヤーハーネスは、横出し状態の電線の端子圧着部に端子の軸線に関して斜め方向に張力が掛からなくなり、電線の断線を防ぐことができるという効果を奏するものである。
【産業上の利用可能性】
【００４８】
本発明に係るコネクタおよびワイヤーハーネスは、横出し状態の電線の端子圧着部に端子の軸線に関して斜め方向に張力が掛からないので、車両、種々の装置、機械設備等に利用できる。
【符号の説明】
【００４９】
Ｃ  コネクタ
Ｗ  ワイヤーハーネス
１０  コネクタハウジング
１１  端子挿入面部
１２  端子挿入孔
２５  案内部
２６  案内部
２７  案内部
４０  電線
４１  端子
Ｓ１  距離
Ｓ２  距離
Ｓ３  距離
【図１】
0006011510.tif 000002
【図２】
0006011510.tif 000003
【図３】
0006011510.tif 000004
【図４】
0006011510.tif 000005
【図５】
0006011510.tif 000006
【図６】
0006011510.tif 000007
【図７】
0006011510.tif 000008
【図８】
0006011510.tif 000009